(57)【要約】      （修正有）【課題】フロアヒーティングシステムに使用する発熱の利用効率が高く、強度が高く、製造時に脱型しやすく、作業性にも優れた発熱体内蔵コンクリートブロックを提供する。【解決手段】発熱体内蔵コンクリートブロック１０は、発熱体１を内蔵したコンクリート製のブロックであって、下面からの放熱を防止するための断熱構造２を備えている。断熱構造２は本ブロック１０の下面に設けられた不織布またはガラス繊維布からなる離型容易化層４に塗布された断熱塗料により、断熱塗料層３として形成される。【選択図】図１−２
0003176093.tif 000002
【実用新案登録請求の範囲】
【請求項１】
発熱体を内蔵したコンクリート製のブロックであって、下面からの放熱を防止するための断熱構造を備えていることを特徴とする、発熱体内蔵コンクリートブロック。
【請求項２】
前記断熱構造はブロック下面に断熱塗料を用いて形成されていることを特徴とする、請求項１に記載の発熱体内蔵コンクリートブロック。
【請求項３】
前記断熱構造はブロック下面に設けられた離型容易化層に塗布された断熱塗料により形成されていることを特徴とする、請求項１に記載の発熱体内蔵コンクリートブロック。
【請求項４】
前記離型容易化層は不織布またはガラス繊維布であることを特徴とする、請求項３に記載の発熱体内蔵コンクリートブロック。
【請求項５】
一部または全体に繊維補強コンクリートまたは繊維補強モルタルが用いられていることを特徴とする、請求項１ないし４のいずれかに記載の発熱体内蔵コンクリートブロック。
【請求項６】
前記発熱体は補強構造により補強されていることを特徴とする、請求項１ないし５のいずれかに記載の発熱体内蔵コンクリートブロック。
【請求項７】
前記補強構造は鉄筋であることを特徴とする、請求項６に記載の発熱体内蔵コンクリートブロック。
【請求項８】
前記発熱体は補強筋またはメッシュ筋の少なくともいずれかの鉄筋により補強されていることを特徴とする、請求項１ないし５のいずれかに記載の発熱体内蔵コンクリートブロック。
【請求項９】
前記発熱体は電熱ヒータであることを特徴とする、請求項１ないし８のいずれかに記載の発熱体内蔵コンクリートブロック。
【請求項１０】
床面の氷結防止目的であることを特徴とする、請求項１ないし９のいずれかに記載の発熱体内蔵コンクリートブロック。
【考案の詳細な説明】
【技術分野】
【０００１】
本考案は発熱体内蔵コンクリートブロックに係り、特に、冷凍庫や冷蔵庫床面氷結防止等に効果のある発熱体内蔵コンクリートブロックにおいて、従来よりも発熱を効率よく利用でき、かつ製造上・施工上における発熱体内蔵コンクリートブロックの改良に関するものである。
【背景技術】
【０００２】
産業用冷凍冷蔵庫においては設備の大型化に伴い、物品の収納効率を高めるために、搬送はフォークリフトによってなされており、使用頻度の増加とともに庫内の床面損傷が増加してくる。特に出入り口付近においては、庫内外の温度差が大きい上フォークリフトの通行頻度も高い場所であるため、損傷が激しくなり、氷結の発生することが多い。それによるフォークリフト運転中の事故、荷崩れ、人身事故や防熱扉の破損などの危険性が増大する。
【０００３】
従前は、建設工事の際にフロアヒータを埋設することで対処していたところ、損傷などによりフロアヒータの交換が必要となった場合には、交換作業により長期に亘り冷凍冷蔵庫の運転を停止しなければならないという問題があった。かかる問題を解決するために本願出願人は、発熱体を内蔵したコンクリートブロック（コンクリートヒータ）を開発し、これを用いてフロア（床）を構成するという工法を編み出した（特許文献１）。この発明によって交換時の長期運転停止という問題が解決できたのみならず、施工時間短縮、コスト低減も実現することができた。
【先行技術文献】
【特許文献】
【０００４】
【特許文献１】特公平１−１４３６７号公報「コンクリートヒータの製造方法」
【考案の概要】
【考案が解決しようとする課題】
【０００５】
さて、発熱体内蔵コンクリートブロック（コンクリートヒータ）は産業用冷凍冷蔵庫における床面氷結の問題を高度に解決することができたが、なお改良すべき点がないわけではなかった。すなわち、下記の各事項である。
ａ）内蔵する発熱体からの熱の相当量は下方にも放熱されるため、発熱の利用効率が悪かった。
ｂ）コンクリートブロックは歪強度が小さく、そのために施工時や敷設後においてクラックが入ったり、破断してしまうことがあった。
ｃ）製造時において、脱型しにくいことがあった。
ｄ）従来の仕様では相当の重量があるため、製造時や施工時の作業労力が大きかった。
【０００６】
そこで本考案が解決しようとする課題は、これら従来技術の問題点を除き、発熱の利用効率が高い発熱体内蔵コンクリートブロック、強度の高い発熱体内蔵コンクリートブロック、脱型しやすい発熱体内蔵コンクリートブロック、そして作業性に優れた発熱体内蔵コンクリートブロックを提供することである。
【課題を解決するための手段】
【０００７】
本願考案者は上記各課題について検討した結果、発熱体内蔵コンクリートブロックを断熱性の構造にしたり、強度を高める内部構造にしたりすることによって解決できることに想到し、本考案に至った。すなわち、上記課題を解決するための手段として本願で実用新案登録請求される考案、もしくは少なくとも開示される考案は、以下の通りである。
【０００８】
（１）  発熱体を内蔵したコンクリート製のブロックであって、下面からの放熱を防止するための断熱構造を備えていることを特徴とする、発熱体内蔵コンクリートブロック。
（２）  前記断熱構造はブロック下面に断熱塗料を用いて形成されていることを特徴とする、（１）に記載の発熱体内蔵コンクリートブロック。
（３）  前記断熱構造はブロック下面に設けられた離型容易化層に塗布された断熱塗料により形成されていることを特徴とする、（１）に記載の発熱体内蔵コンクリートブロック。
（４）  前記離型容易化層は不織布またはガラス繊維布であることを特徴とする、（３）に記載の発熱体内蔵コンクリートブロック。
（５）  一部または全体に繊維補強コンクリートまたは繊維補強モルタルが用いられていることを特徴とする、（１）ないし（４）のいずれかに記載の発熱体内蔵コンクリートブロック。
【０００９】
（６）  前記発熱体は補強構造により補強されていることを特徴とする、（１）ないし（５）のいずれかに記載の発熱体内蔵コンクリートブロック。
（７）  前記補強構造は鉄筋であることを特徴とする、（６）に記載の発熱体内蔵コンクリートブロック。
（８）  前記発熱体は補強筋またはメッシュ筋の少なくともいずれかの鉄筋により補強されていることを特徴とする、（１）ないし（５）のいずれかに記載の発熱体内蔵コンクリートブロック。
（９）  前記発熱体は電熱ヒータであることを特徴とする、（１）ないし（８）のいずれかに記載の発熱体内蔵コンクリートブロック。
（１０）  床面の氷結防止目的であることを特徴とする、（１）ないし（９）のいずれかに記載の発熱体内蔵コンクリートブロック。
【考案の効果】
【００１０】
本考案の発熱体内蔵コンクリートブロックは上述のように構成されるため、本考案によれば、内部で発生した熱の利用効率を高めて冷凍冷蔵庫における床の氷結防止効果を高めるなど、下方への放熱をなくして上方への伝熱を良好にし、発熱を有効利用することができる。
【００１１】
また本考案によれば、発熱体内蔵コンクリートブロックの歪強度を高めることができ、製造時・運搬時・施工時におけるクラックや破断の発生を防止することができる。さらに本考案によれば、製造時において発熱体内蔵コンクリートブロックを脱型しやすくなり、作業性が高まる。また、従来よりも寸法を小サイズにすることによって、製造時・運搬時・施工時における作業性を高めることができる。
【図面の簡単な説明】
【００１２】
【図１】本考案発熱体内蔵コンクリートブロックの構成例について外観を示す三面図である。
【図１−２】図１中Ｂ−Ｂ切断面の断面図である。
【図１−３】図１−２の要部説明図である。
【図１−４】従来の発熱体内蔵コンクリートブロックにおける要部説明図である。
【図２】本考案発熱体内蔵コンクリートブロックの別の構成例を示す要部の断面視説明図である。
【図３】本考案発熱体内蔵コンクリートブロックのまた別の構成例を示す要部の断面視説明図である。
【考案を実施するための形態】
【００１３】
以下、図面により本考案を詳細に説明する。
図１は、本考案発熱体内蔵コンクリートブロックの構成例について外観を示す三面図である。また、
図１−２は図１中Ｂ−Ｂ切断面の断面図、図１−３は図１−２の要部説明図、そして図１−４は従来の発熱体内蔵コンクリートブロックにおける要部説明図である。
【００１４】
これらに図示するように本考案発熱体内蔵コンクリートブロック１０は、電熱ヒータ等の発熱体１を内蔵したコンクリート製のブロックであって、下面からの放熱を防止するための断熱構造２を備えていることを、主たる構成とする。断熱構造２は、本ブロック１０の下面に断熱塗料を用いて断熱塗料層３として形成される。具体的には断熱構造２は、本ブロック１０下面に設けられた離型容易化層４に塗布された断熱塗料により形成するものとすることができる。発熱体１としては、たとえば温水を流通させる管など適宜のものを用いることができるが、特に電熱ヒータが採用しやすく、また便利である。
【００１５】
かかる構成により本考案発熱体内蔵コンクリートブロック１０によれば、特に図１−３に示すように、発熱体１により発生した熱は断熱構造２によって下方への熱伝播が遮られ、その結果上方へと伝播し、本ブロック１０の上端すなわち床面を構成する面から熱Ｈとして放出される。この断熱効果は、発泡スチロール製の断熱フォーム５ｍｍ厚さにより得られる効果に相当する効果を得ることも可能である。
【００１６】
すなわち、図１−４に示されるような従来のコンクリートブロック９１０とは異なり、下方への無駄な放熱を防止して、発生した熱が効率よく上端面において利用される。したがって本発熱体内蔵コンクリートブロック１０を用いて形成された床面では、発熱体１による熱が効率よく利用され、たとえば氷結防止を効率的に行うことができ、省エネルギーにもなる。
【００１７】
なお、離型容易化層４としては適宜の材質のシートを用いることができる。たとえば不織布またはガラス繊維布を好適に用いることができる。また、不織布またはガラス繊維布を例とする離型容易化層４が本ブロック１０の下部に設けられることにより、本ブロック１０を型枠を用いて製造する際において、これを脱型することが容易となる。
【００１８】
図２は、本考案発熱体内蔵コンクリートブロックの別の構成例を示す要部の断面視説明図である。図示するように本発熱体内蔵コンクリートブロック２１０は、一部または全体に繊維補強コンクリートまたは繊維補強モルタル２５が用いられていることを、特徴的な構成とする。
【００１９】
かかる構成により本発熱体内蔵コンクリートブロック２１０は、歪強度、破断強度が増し、クラックや破断が発生しにくくなり、製造・運搬・施工時に亘って作業性も向上する。なお図では、一部（下方）に繊維補強コンクリート等２５を用いた構成を示しているが、このように全体に用いずに一部に用いるだけでも、強度を高める効果は十分に得られる。
【００２０】
図３は、本考案発熱体内蔵コンクリートブロックのまた別の構成例を示す要部の断面視説明図である。本発熱体内蔵コンクリートブロック３１０は、発熱体３１が補強構造により補強されている構成であり、補強構造としては鉄筋を好適に用いることができる。図示するように鉄筋としては、補強筋３６またはメッシュ筋３７を用い、あるいはその双方を併せ用いることができる。
【００２１】
かかる構成によれば、発熱体内蔵コンクリートブロック３１０としても強度が高まる上、発熱体３１が補強筋３６またはメッシュ筋３７の少なくともいずれかの鉄筋により補強されることとなり、好ましい。
【００２２】
以上説明した本考案の発熱体内蔵コンクリートブロックはまた、製造期間を短縮できる効果もある。従来のものは、養生には加温を要する上に、製造開始後（打設後）３日ないし５日経過しなければ脱型することができなかったが、本考案では特別に加温する処理が不要で常温養生でき、しかも４時間程度で脱型可能な仕様とすることができる。
【００２３】
さらに本考案の発熱体内蔵コンクリートブロックは、その断熱効果により、ブロック一枚あたりの使用電力量の半減を実現することも可能である。すなわちたとえば、従来はＡＣ２００Ｖ／３００Ｗであったものを、ＡＣ２００Ｖ／１５０Ｗの使用電力量にまで軽減させる仕様とすることができる。
【００２４】
また、従来よりも小サイズ化できるため、重量をたとえば従来の４０％にまで軽量化することもでき、この場合は、従来であれば施工時には４人で作業しなければならなかったものを、２人で作業することも可能である。
【産業上の利用可能性】
【００２５】
本考案の発熱体内蔵コンクリートブロックによれば、発熱の利用効率を高め冷凍冷蔵庫における床の氷結防止効果を高めるなど、下方への放熱をなくして上方への伝熱を良好にし、発熱を有効利用することができ、さらに強度を高めることで製造時・運搬時・施工時におけるクラックや破断の発生を有効に防止でき、製造時において脱型しやすくなるなど作業性も向上する。したがって、冷凍庫・冷蔵庫・冷凍冷蔵庫設備や、その他床面における暖房や伝熱の必要なあらゆる設備を利用する産業分野およびその施工において、利用価値が非常に高い考案である。
【符号の説明】
【００２６】
１、２１、３１…発熱体
２…断熱構造
３、２３、３３…断熱塗料層
４、２４、３４…離型容易化層
１０、２１０、３１０…発熱体内蔵コンクリートブロック
２５、３５…繊維補強コンクリートまたは繊維補強モルタル
２８、３８…コンクリート
３６…補強筋
３７…メッシュ筋
９１…従来の発熱体内蔵コンクリートブロックの発熱体
９１０…従来の発熱体内蔵コンクリートブロック
Ｈ…熱
【図１】
0003176093.tif 000003
【図１−２】
0003176093.tif 000004
【図１−３】
0003176093.tif 000005
【図１−４】
0003176093.tif 000006
【図２】
0003176093.tif 000007
【図３】
0003176093.tif 000008